(57)【特許請求の範囲】
【請求項１】
監視カメラアセンブリハウジングをこのハウジング用の基部へ解除自在に係止する装置であって、
前記基部からの前記ハウジングの取り外しに用いるツールを係合させるように前記ハウジングに設けられた第一手段を備え、この第一手段は前記ハウジングの各位置において互いに離間して設けられた複数の孔を含み、その孔の各々は前記ツールの各部分を収容するようにされ、
前記装置は更に、
前記ハウジングと前記基部との少なくとも一つに取り付けられ、前記ハウジングを前記基部へ解除自在に固定する第二手段を備え、この第二手段は前記ハウジングの前記孔の位置に対応する各位置において前記基部に位置する複数の係止部材を含む装置。
【請求項２】
第一の位置から、前記ハウジングが前記基部から少なくとも部分的に解放される第二の位置へ前記ツールにより移動自在である請求項１記載の装置。
【請求項３】
前記係止部材が、前記基部に取り付けられ、且つ第一の位置へ向かって下方へ偏椅された係止クリップであり、前記ツールが、前記係止部材を第一の位置から第二の位置へ上方へ移動させるように働く請求項２記載の装置。
【請求項４】
前記孔の各々が、前記ハウジングの側壁に形成されており、前記係止クリップが第一の位置にあるときに、前記係止クリップが前記孔に係合する請求項３記載の装置。
【請求項５】
前記孔の各々が、前記ハウジングの上部壁に形成された段階状スロットを含む請求項４記載の装置。
【請求項６】
監視カメラアセンブリハウジングをこのハウジング用の基部へ解除自在に係止する装置であって、
前記基部からの前記ハウジングの取り外しに用いるツールを係合させるように前記ハウジングに設けられた第一手段と、
前記ハウジングと前記基部との少なくとも一つに取り付けられ、前記ハウジングを前記基部へ解除自在に固定する第二手段と備え、
前記ツールが、複数のキー部を有し、第一手段が、前記ハウジングに取り付けられた複数の係止バレルを含み、その係止バレルの各々は前記ツールの前記複数のキー部の各一つに係合する装置。
【請求項７】
第二手段が、複数のラッチ摺動体を含み、その各々は各係止バレルの回動移動に応答して摺動移動するように前記係止バレルの各一つに協動する請求項６記載の装置。
【請求項８】
第二手段が、前記基部に装着された複数のラッチピンを更に含み、このラッチピンの各々は前記複数のラッチ摺動体の各一つに係合する請求項７記載の装置。
【請求項９】
監視カメラアセンブリハウジングが係止自在に装着される基部から前記監視カメラアセンブリハウジングを取り外す方法であり、
前記ハウジングを前記基部から取り外すツールに前記ハウジングを係合させる工程と、
前記ハウジングを前記基部へ固定する係止機構を解除する工程とを含み、
前記ハウジングは前記係止機構が解除される前に前記ツールへ固定される方法。
【請求項１０】
前記係合工程と解除工程とが、少なくとも部分的に同時に実行される請求項９記載の方法。
【請求項１１】
前記係合工程が、前記ツールの部分を前記ハウジングへ挿入することにより、前記ツールの前記部分を前記ハウジングに設けられた孔により係合させる請求項９記載の方法。
【請求項１２】
前記解除工程が、前記ハウジングに設けられた開口が前記基部に設けられた棚板に整合される位置へ前記基部に関して前記ハウジングを回動させることを含む請求項１１記載の方法。
【請求項１３】
前記係合工程が、前記ツールに設けられたキー部を前記ハウジングに設けられた係止バレル部へ挿入することを含む請求項９記載の方法。
【請求項１４】
前記解除工程が、前記ハウジングに設けられたラッチ摺動体を前記基部に設けられたラッチピンから係合解除するように、前記ラッチ摺動体を摺動させることを含む請求項１３記載の方法。
【請求項１５】
監視カメラアセンブリハウジングを装着基部に取り付ける方法であり、
前記ハウジングを取り付けツールに係合させる工程と、
前記ハウジングが係合された取り付けツールを操作することにより、前記ハウジングを前記装着基部へ係止自在に装着する装着工程と、
前記ハウジングから取り付けツールを係合解除する解除工程とを備え、
前記装着工程が、前記ハウジングと前記基部との少なくとも一つに設けられた係止機構を係止状態にさせることを含み、且つ前記解除工程が、前記係止機構が前記係止状態になければ妨げられる方法。
【請求項１６】
前記解除工程が、前記取り付けツールの部分を前記ハウジングへ挿入することにより、前記取り付けツールの前記部分を前記ハウジングに設けられた孔により係合させる請求項１５記載の方法
【請求項１７】
前記装着工程が、前記ハウジングの一部分が前記基部の棚板に支持される位置へ前記基部に関して前記ハウジングを回動させることを含む請求項１６記載の方法。
【請求項１８】
前記解除工程が、前記取り付けツールに設けられた係止キャッチを解除することを含む請求項１５記載の方法。
【請求項１９】
前記係合工程が、前記取り付けツールに設けられたキー部を前記ハウジングに設けられた係止バレル部へ挿入することを含む請求項１５記載の方法。
【請求項２０】
前記装着工程が、前記ハウジングに設けられたラッチ摺動体が前記基部に設けられたラッチピンに係合するように、前記ラッチ摺動体を摺動させることを含む請求項１９記載の方法。
【請求項２１】
監視カメラアセンブリハウジングが装着された基部から前記ハウジングを取り外すツールであり、
ポール部と、
このポール部に取り付けられた少なくとも一つの挿入部であって、前記ハウジングに設けられた開口に挿入するようにされた挿入部とを備えるツール。
【請求項２２】
前記少なくとも一つの挿入部が、前記ハウジングに設けられた係止バレルへ挿入するようにされた複数のキー部を含む請求項２１記載のツール。
【請求項２３】
支持部材であって、前記ポール部がこの支持部材に関して回動自在になるように前記ポール部に取り付けられた支持部材と、
この支持部材に回動自在に取り付けられた複数のキー保持部材であって、その各々がそれに取り付けられた前記キー部の各一つを有するキー保持部材と、
前記ポール部を前記回動するように取り付けられ、且つ前記支持部材に関する前記ポール部の回動に際して前記キー保持部材を回動駆動するように前記キー保持部材に係合する駆動部材とを更に備える請求項２２記載のツール。
【請求項２４】
前記カメラアセンブリハウジングの凸面状下面クレドールに接触するようにされたクレドールであって、前記ポール部の長さ方向軸に平行な方向における前記ポール部に関する移動のために前記ポール部に取り付けられたクレドールと、
このクレドールを前記少なくとも一つの挿入部分へリンク接続することにより、前記ポール部の長さ方向軸に平行な方向における前記クレドールによる前記移動に応答して前記ポール部の長さ方向軸に対して実質的に垂直な方向前記少なくとも一つの挿入部分を移動させるリンク手段とを更に備える請求項２１記載のツール。
【請求項２５】
前記ポール部が、開口端部と、この開口端部に対向する第二の端部とを有し、且つ前記開口端部から前記ポール部の長さ範囲の少なくとも一部に沿って中空であると共に、前記少なくとも一つの挿入部分が、複数のＬ字状部材を含み、そのＬ字状部材の各々は、水平部と、この水平部よりも実質的に長い垂直部とを含み、前記ポール部は、
ポール部の長さ方向軸に平行な方向におけるポール部に関する移動のためにポール部の中空部分内に取り付けられた内側ポール部であって、この内側ポール部は、前記ポール部の開口端部から外側へ延出すると共に、ポール部の開口端部から中心を離れた位置に配置された第一の端部を有する内側ポール部と、
この内側ポール部を前記ポール部の第二の端部から前記開口端へ向かって偏椅させる手段と、
前記ポール部の第一の端部に取り付けられ、前記カメラアセンブリハウジングの凸状下面に支持自在に適合する凹面を有するクレドールと、
前記ポール部のクレドールと開口端との中間の前記内側ポール部上の交差バーであって、各々が前記複数のＬ字状部材の各一つの前記垂直部に枢軸にリンク接合された対向端部を有する交差バーと、
複数のリンク部材であって、その各々が、前記ポール部に枢軸にリンク接合された第一の端部と、前記複数のＬ字状部材の前記垂直部に枢軸にリンク接合された第二の端部とを有するリンク部材とを更に備える請求項２１記載のツール。
【請求項２６】
前記内側ポール部を前記ポール部へ選択的に係止するラッチ機構を更に備える請求項２５記載のツール。
【請求項２７】
前記ポール部が、伸縮部と、この伸縮部に選択的に装着自在なヘッド部とを含み、前記少なくとも一つの挿入部が前記ヘッド部に取り付けられる請求項２１記載のツール。
【請求項２８】
前記伸縮部が、１０フィート（約３．０４８ｍ）以上の長さに選択的に延伸自在である請求項２７記載のツール。
【請求項２９】
監視カメラ装着システムであり、
支持構造に取り付けられた基部と、
この基部へ取り外し自在に装着される監視カメラアセンブリハウジングと、
このハウジングを前記基部から取り外すツールと、
前記ツールを係合させるように前記ハウジングに設けられた第一手段とを備え、この第一手段は前記ハウジングの各位置において互いに離間して設けられた複数の孔を含み、その孔の各々は前記ツールの各部分を収容するようにされ、
前記システムは更に、
前記ハウジングと前記基部との少なくとも一つに取り付けられ、前記ハウジングを前記基部へ解除自在に固定する第二手段を備え、この第二手段は前記ハウジングの前記孔の位置に対応する各位置において前記基部に位置する複数の係止部材を含む監視カメラ装着システム。
【請求項３０】
前記係止部材が、この係止部材が前記ハウジングを前記基部へ固定する第一の位置から、前記ハウジングが前記基部から少なくとも部分的に解放される第二の位置へ前記ツールにより移動自在である請求項２９記載の監視カメラ装着システム。
【請求項３１】
前記係止部材が、前記基部に取り付けられ、且つ第一の位置へ向かって下方へ偏椅された係止クリップであり、前記ツールが、前記係止部材を第一の位置から第二の位置へ上方へ移動させるように働く請求項３０記載の監視カメラ装着システム。
【請求項３２】
前記孔の各々が、前記ハウジングの側壁に形成されており、前記係止クリップが第一の位置にあるときに、前記係止クリップが前記孔に係合する請求項３１記載の監視カメラ装着システム。
【請求項３３】
前記孔の各々が、前記ハウジングの上部壁に形成された階段状スロットを含む請求項３２記載の監視カメラ装着システム。
【請求項３４】
監視カメラ装着システムであって、
支持構造へ装着された基部と、
前記基部へ取り外し自在に装着される監視カメラアセンブリハウジングと、
前記ハウジングを前記基部から取り外すツールと、
前記ツールを係合させるように前記ハウジングに設けられた第一手段と、
前記ハウジングと前記基部との少なくとも一方に取り付けられ、前記ハウジングを前記基部へ解除自在に固定する第二手段と備え、
前記ツールが、複数のキー部を有し、第一手段が、前記ハウジングに取り付けられた複数の係止バレルを含み、その係止バレルの各々は前記ツールの前記複数のキー部の各一つに係合する監視カメラ装着システム。
【請求項３５】
第二手段が、複数のラッチ摺動体を含み、その各々は各係止バレルの回動移動に応答して摺動移動するように前記係止バレルの各一つに協動する請求項３４記載の監視カメラ装着システム。
【請求項３６】
第二手段が、前記基部に装着された複数のラッチピンを更に含み、このラッチピンの各々は前記複数のラッチ摺動体の各一つに係合する請求項３５記載の監視カメラ装着システム。
【発明の詳細な説明】
技術分野
本発明は、ビデオ監視カメラ取付アセンブリと、ビデオ監視カメラの取り付け方法および取り付けられたカメラの取り外し方法とに関する。
背景技術
ビデオ監視システムによって保全される建造物の内部や近傍にビデオカメラを装着する装着構造はよく知られている。この装着構造は、通常、建造物の天井或るいはその他の適宜な位置に取り付けられるハウジングを含む。ハウジング内には、ビデオカメラ、モータ及び遠隔操作によってビデオカメラを所定範囲内で移動させる構成要素、並びに、制御信号を受信し、カメラによって生成されたビデオ信号を転送する電子装置が格納される。しばしば、そのエンクロジャーの一部はドーム形状でプラスチックから形成されているので、入射光が入射及びそのビデオカメラによる捕捉を可能とする。このアセンブリ（ハウジング、カメラ及び関連構成要素を含む）は、通常「ドーム」と称され、その呼称はハウジングのドーム形状部に由来する。
ドームを最初に取り付けた後、定期的保守、修理、或いは交換などの目的でドームを取り外すことがしばしば必要となる。この目的のためには、天井その他の支持構造に堅固に取り付けた適宜な形状のブラケット内に、解除可能に挿入されたスプリング偏倚された複数のロッドをドームの上部に取り付けることが公知である。安全索もまたドームに設けられており、安全索の自由端は、天井に取り付けられた別のブラケットに取り外し可能に取り付けられている。ドームが取り付けられている構造体からドームを取り外すには、ドーム取り外し作業者がドームに充分接近することができ、そしてその作業者が手で前記取付ブラケットから前記スプリング偏倚ロッドを外し、且つ安全索を外す必要がある。一般には、カメラが充分な視野を有するように、また、カメラとの干渉物をなくすように、高い天井、又は地面若しくは床面から相当な距離のところに監視カメラドームが取り付けられる。このような所にカメラを取り付けた場合、カメラを取り外すためには、梯子を相当な高さまで登ったり、或るいはドームに接近するために適当な足場を設けることが必要となる。作業者がドームを取付ブラケットから外すために、その両手が専らスプリング偏倚されたボルトの操作や、ドームを押さえながら安全索を解除することに奪われているので、梯子上の作業者は、自身の手に頼ることなく自分自身の均衡をとっている。
ドームの取り外し作業中にドームを落とした場合、たいていはドームが破損してしまうので、交換する必要から費用が発生することにも留意されたい。
以上の事情に鑑みれば、ドームの取り外しが必要になった場合、ビデオ監視システムの多くの操作担当者が、システム供給者に対して、熟練作業者を派遣するようにと要請することは驚くにはあたらない。ドームの取外しや取り替えに要する費用、不便さは相当なものであり、取り替えや取り外しを容易にするドーム取り付けシステムが要求されている。
発明の目的と概要
従って、本発明の目的は、ビデオ監視ドームの取り外し交換を容易にすることにある。
本発明の別の目的は、ドームが取り付けられている位置の近くまで作業者が行くことなく、ドームを取り外し交換するシステムを提供することにある。
本発明の更に別の目的は、ドームに対する損傷リスクを最小にするドーム取り外し交換システムを提供することにある。
本発明の更に別の目的は、熟練者でなくとも容易に実行できるドーム取り外し交換技術を提供することにある。
本発明の一つの態様によれば、監視カメラアセンブリハウジングを解除可能にハウジングのための基部に係止する装置が提供される。装置は、ハウジングを基部から取り外すために用いるツールに係合するため基部に設けた第一手段と、ハウジングを取り外し可能に基部に取り付けるためハウジングと基部の少なくとも一方に設けた第二手段とを含む。
更に、本発明のこの態様において、前記第一手段は、それぞれが互いに離間してハウジング上に設けられた複数の孔を含むこととしてもよく、前記第二手段は、ハウジング上のそれぞれの孔の位置に対応して基部上のそれぞれの位置に設けた複数の係止部材を含むこととしてもよい。更に、係止部材がハウジングを基部に取り付ける第一位置からハウジングが少なくとも基部から部分的に解除される第二位置へ前記係止部材を前記ツールによって可動にしても良い。係止部材を基部に設けた係止用クリップであって前記第一位置へ下方向に付勢されたクリップとすることができ、この場合、ツールは係止用クリップを上方に第一位置から第二位置へ移動させるように作用する。ハウジングの孔はハウジングの上壁に形成することができ、係止用クリップがそれぞれ第一位置にあるときに係止用クリップはこれらの孔に係合する。各孔はハウジングの上壁に形成した段違いスロットを含むことができる。
本発明のこの態様において代替的に、ツールは複数のキー部を有することとしてもよく、この場合、第一手段はハウジングに設けた複数の係止バレルであって、各バレルがツールの複数のキー部の一つと係合する係止バレルを含むことができる。この場合、第二手段は、複数のラッチスライドであって、各スライドがこれに対応する一つの係止バレルと協働して該係止バレルの回転運動に応答して摺動するラッチスライドを含むことができ、第二手段は更に、基部上に設けた複数のラッチピンであって、各ピンが対応するラッチスライドの一つの係合するラッチピンを含むことができる。
本発明の別の実施態様によれば、基部に取り付け固定された監視カメラアセンブリハウジングを基部から取り外す方法であって、ハウジングを基部から取り外すためにハウジングをツールに係合させる工程と、ハウジングを基部に固定する係止用機構を解除する工程とを含む方法が提供される。
係合工程及び解除工程を少なくとも部分的に同時に実行することとしてもよく、係合工程は、ツールの一部がハウジングに設けた孔に係合するようにツールの一部をハウジング内に挿入することを含むこととしても良い。解除工程は、ハウジングに設けた開口が基部に設けた係止用棚と一直線上となる位置まで基部に対してハウジングを回転させることを含むことができる。代替的に、係合工程は、ツールに設けたキー部をハウジングに設けた係止バレル部に挿入することとしてもよく、そして、解除工程は、ハウジングに設けたラッチスライドを摺動させて基部に設けたラッチピンからラッチスライドを解除することを含むことができる。本方法は、係止機構が解除される前にハウジングをツールに固定するように実施される。本発明の更に別の実施形態によれば、取付基部に監視カメラアセンブリハウジングを取り付ける方法であって、ハウジングを取付ツールに係合させる工程と、ハウジングを係合させる前記ツールを操作することによって取付基部にハウジングを固定して取り付ける工程と、ハウジングから取付ツールを解除する工程を含んでなる方法が提供される。
更に、この実施形態において、取付工程は、ハウジング上と基部上の少なくとも一方に係止機構を設けることを含むこととしてもよく、解除工程は、係止機構が係止状態にないならば、妨げられるようにすることができる。
更に、係合ステップは、ツールの一部がハウジングに設けた孔に係合するようにツールの一部をハウジングに挿入することを含むことができる。また、取付工程は、ハウジングの一部が基部に設けた棚の上に支持される位置までハウジングを基部に対して回転させることを含むことができる。
更に、本発明の後者の実施形態において、解除工程は、取付ツールに設けた係止用キャッチを解除することを含むことができる。代替的に、係合工程は、取付ツールに設けたキー部をハウジングに設けた係止バレル部に挿入することを含むことができ、取付工程は、ハウジングに設けたラッチ摺動体を摺動させてラッチ摺動体を基部に設けたラッチピンに係合させることを含むことができる。
本発明の更に別の実施態様によれば、基部に取り付けられた監視カメラアセンブリハウジングを基部から取り外すツールであって、ポール部と、該ポール部に設けられハウジングに設けられた開口に挿入される少なくとも一つの挿入部とを含んでなるツールが提供される。挿入部は、ハウジングに設けた複数の係止バレル内に挿入される複数のキー部を含むことができる。更に、ツールは、ポール部をそれ（支持部材）に対して回転させる支持部材と、支持部材上に回転自在に設けた複数のキー保持部材であって、各キー保持部材はその上に設けられた対応する一つのキー部を有するキー保持部材と、ポール部に対して回転自在に設けた駆動部材であって、前記複数のキー保持部材に係合し、支持部材に対するポール部の回転の際にキー保持部材を回転駆動する駆動部材とを含むことができる。
本発明のこの実施態様において代替的に、ツールは、移動してカメラアセンブリハウジングの凹下面に接触しかつポール部に設けられポール部の長軸に平行な方向にポール部に対して移動するクレドール（揺架）と、少なくとも一つの挿入部を前記ポール部の長軸に平行な方向に移動するクレドールの移動に応答してポール部の長軸に実質的に直角の方向に移動させるようにクレドールを前記少なくとも一つの挿入部に連結するリンク機構とを含むことができる。
更に別の代替例として、ポール部は、開口する一端と、該開口端の反対側の開口端とを有することができ、かつ、開口端からポール部の延伸長さの少なくとも一部において中空であり、また、前記少なくとも一つの挿入部は、複数のＬ字状部材を含み得る。このＬ字状部材の各々は、水平部と、この水平部よりも実質的に長い垂直部とを含み、ポール部は更に、ポール部の長さ方向軸に平行な方向におけるポール部に関する移動のためにポール部の中空部分内に取り付けられた内側ポール部であって、この内側ポール部は、ポール部の開口端から外側へ延出すると共に、ポール部の開口端から中心を離れた位置に配置された第一の端部を有する内側ポール部と、内側ポール部をポール部の第二の端部から開口端へ偏倚させる機構と、ポール部の第一の端部に取り付けられ、カメラアセンブリハウジングの凸状下面に支持自在に適合する凹面を有するクレドールと、ポール部のクレドールと開口端との中間の内側ポール部上の交差バーであって、各々が複数のＬ字状部材の各一つの垂直部に枢軸にリンク接合された対向端部を有する交差バーと、複数のリンク部材であって、その各々が、ポール部に枢軸にリンク接合された第一の端部と、複数のＬ字状部材の垂直部に枢軸にリンク接合された第二の端部とを有する。また、ポール部は内側ポール部をポール部へ選択的に係止するラッチ機構を有する。
更に本発明のこの観点によれば、ポール部は、伸縮部と、この伸縮部に選択的に挿着自在なヘッド部とを含み、少なくとも一つの挿入部がヘッド部に取り付けられる。伸縮部は１０フィート以上の長さに選択的に延伸自在とし得る。
【図面の簡単な説明】
図１は、本発明に係り設けられた監視カメラアセンブリと、本発明に係り設けられた取り外しツールとの略模式的な前面図であり、アセンブリの固定取り付け基部からの部分を省略して示す図である。
図２は、図１のアセンブリを図１のツールに設けられた挿入フインガーと共に示す斜視図であり、挿入フインガーがアセンブリへの挿入のために空中へ持ち上げられている図である。
図３は、図１のアセンブリの基部の内部の特徴の斜視図である。
図４は、図１のアセンブリの基部を逆転した平面図である。
図５は、基部を図４のＶ−Ｖ線に沿って破断した断面図である。
図６は、図１のカメラアセンブリのハウジングキャップ部分の斜視図である。
図７は、図６のハウジングキャップの上面図である。
図８は、図１のハウジング取り外しツールの上面図である。
図９は、ツールの代替的実施例に係り、図１のツールに設けられた挿入フインガーの上面図である。
図１０は、図１のカメラアセンブリの部分的な側面図であり、基部の側壁とハウジングキャップ部分を取り除いて示す図である。
図１１は、図１０と同様な図であって、図１のツールの挿入フインガーをカメラアセンブリハウジングの孔へ挿入して示す図である。
図１２は、挿入された挿入フインガーを有するカメラアセンブリを図１１のXII−XII線に沿って破断した断面図である。
図１３は、本発明の第二実施例に係り設けられた監視カメラアセンブリと、それを取り外すツールの部分的な模式的斜視図である。
図１４は、図１３のカメラアセンブリに設けられた係止機構の模式的な断面図である。
図１５は、図１４の係止機構の部品を示す分解斜視図である。
図１６は、図１４の係止機構の上面図であり、係止機構の係止位置および非係止位置を示す図である。
図１７は、図１４の係止機構の一部分を図１４のXVII−XVII線に沿って破断した断面図である。
好適実施例の説明
第一実施例
本発明の第一実施例について、先ず図１を参照して説明する。
図１において参照符号２０は本発明に係り設けられた監視カメラアセンブリを全体的に示す。また図１には本発明に係り設けられたカメラ取り外しツール２２も示されている。カメラアセンブリ２０は、天井２６へ堅固に装着された基部２４と、後述する手段により基部２４へ取り外し自在に装着されたハウジング部分２８とから形成されている。ハウジング部分２８は基部２４へ取り外し自在に係合するキャップ部分３０と、キャップ部分３０から懸架されたドーム部分３２とから形成されている。
図２から明らかなように、キャップ部分３０は、その外壁に形成された孔３４を有し、この孔は、ツール２２に設けられた挿入フィンガー３６をハウジング２８へ挿入可能とする。後述する方式においては、孔３４へのフィンガー３６の挿入に際し、これらフィンガーと孔とが互いに係合するので、ツール２２は、ねじり係止解除（twist-unlock）操作により基部２４からハウジング部分２８を取り外すように使用し得る。
図示していないが、ビデオカメラ、このカメラを操作する関連モータ、および適宜な電子部品は全てハウジング部分２８内に配置されていることは勿論である。従って、ハウジング部分２８の取り外しは、ハウジング内のカメラおよび他の部品に関係した保守作業その他を実行する目的のためのハウジング内部への接近を可能とする。
基部の説明
基部２４の構造について、図３乃至５を参照して幾らか詳細に説明する。
基部２４は好ましくは単体の一体成型プラスチックとして形成されている。基部２４は、概ね平坦で円形状の上板３８と、この上板３８の円周部から下方へ延出する円筒状壁４０とを含む。壁４０は更に下方へ延出し、その周囲の殆んどに亘る三つの弧状フランジ部分４２まで延出する。フランジ部分４２は壁４０の厚さよりも薄厚であり（例えば図５参照）、且つフランジ部分４２の外面は壁４０の外面と面一であり、フランジ部分４２と壁４０との接合部から内方へ延出する水平面として反転セットバック４４を形成するようにされている。
図から明らかなように、フランジ４２は、その数が三つであり、それらの間には三つのスロット４６が形成され、これらスロットは壁４０の底面４８の下方へ延出している。三つのスロット４６は、基部２４の周囲に約１２０度の実質的に等しい角度間隔で配置されている。本発明の好適実施例においては、スロット４６（および基部２４の対応する部分と後述するハウジングキャップ３０）の間隔は、キャップ３０を基部２４へ取り付けることができる一方向の適切な回転方向を規定するように、僅かな範囲だけ１２０度から変化する。例えば、二つの間隔を１１８度とするならば、残りの一つの間隔は１２４度となる。図から明らかなように、スロット４６は、先に多少言及したフィンガー３６の挿入に適合するように設けられている。壁４０の底面４８は、フランジ４２により形成されたセットバック４４に面一であり且つ連続的である。
三つのスロット４６の各々の近傍では、対応する突出部分５０が基部２４の上板３８から下方へ突出する。各突出部分５０には、各々が水平で外方へ延出する棚板５２が一体形成されている。各棚板５２は、対応するスロット４６から内方へ小間隔をもって位置し、図４に明らかなように、各棚板５２の側部は、対応する一つの弧状フランジ４２の縁に実質的に整合して、図４の反時計方向から見て各棚板５２がその対応するスロット４２からオフセットするようにされている。
各々の突出部分５０は、それと共に一体形成された各スプリングクリップ５４をも有し、このスプリングクリップ５４は概ね水平に時計方向（図３で見て）へ延出する。図４に最もよく示されているように、各スプリングクリップ５４は弧状に形成されて、内方へ小間隔をもって配置され、基部２４の周囲に平行をなす。係止部材５６が各スプリングクリップ５４の自由端の下側に設けられている。各スプリングクリップ６５は、その係止部材５６が各一つのスロット４６から実質的に反対方向に且つ内方に位置するように配置されている。
図から明らかなように、棚板５２とスプリングクリップ５４とは、ハウジングキャップ３０を基部２４へ堅固に、しかし取り外し自在に装着するために設けられている。
基部２４の他の特徴は、その上板３８に形成された多少大きな円形入出穴５８（図４）を含む。この入出穴５８は、電力、制御およびビデオ信号ケーブル（図示せず）のための引き込み点として設けられている。基部２４の特徴として、一対の隣接するＰＣＢ（プリント回路基板）支持フィンガー６０、三つのＰＣＢ位置決めボス６２、一対のＰＣＢ支持部材６４（図４）をも含む。要素６０，６２および６４は全て、プリント回路基板（図３乃至５には図示せず。図１２参照）を基部２４内へ装着可能とするように設けられている。補強リブ６７も基部２４の内面の適切な位置に設けられている。
ハウジングキャップの説明
ハウジングキャップ３０について、図６および７を参照して幾らか詳細に説明する。
基部２４と同様に、キャップ３０は略円筒形状である。このキャップ３０は、上板６８と、上部セットバック部分７４と下部セットバック部分７６との間に設けられた中央部分７２からなる円筒状側壁７０とを含む。中央壁部分７２と上部セットバック部分７４との接合部には棚７８が設けられている。
上述した孔３４が上部セットバック部分７４へ設けられ、ハウジングキャップ３０の上板６８における各階段状スロット８０を形成するように上方へ延出している。各スロット８０を部分的に形成する役割を果たしているのは、上板６８の周囲から所定間隔をもって内方へ延出する第一の切り欠き部８２と、上板６８の周囲から第一の切り欠き部８２よりも大きな間隔をもって内方へ延出する第二の切り欠き部８４である。基部２４に設けられたスロット４６と同様に、キャップ３０上の孔３４は、その数が三つであり、キャップ３０の円周の回りに等間隔をなしている。
図から明らかなように、孔３４は、取り外しツールの側壁７０を通じて挿入フィンガーを挿入可能とし、また基部２４の係止スプリングクリップ５４と相互作用する。更に、階段状スロット８０と、上板６８の特定の内方延出切り欠き部８４とは、基部２４の外方延出棚板５２と相互作用するように設けられている。
キャップ３０部分の他の特徴は、ＰＣＢ保持ブラケット８６（図１２）を含み、これは側壁７０の中央部分７２から内方へ延出する。保持ブラケット８６は、プリント回路基板８８（図１２に示されているが、図６および７には図示せず）をキャップ部分３０内に装着可能とするように設けられている。多少大きな円形入出穴９０（図６および７に最もよく示されている）が、キャップ３０の上板６８の中央位置に設けられ、基部２４に装着されたプリント回路基板６６とハウジングキャップ部分３０内に装着されたプリント回路基板８８との間の電力および信号の接続を可能としている。図１２に模式的に示されているように、このような接続はＰＣＢ６０から下方へ延出する延長部分９２によりなされ、この延長部分９２は、ＰＣＢ８８上に設けられた適宜な接点（図示せず）と接触させるためのブラシ９４を支持する。好ましくは、ＰＣＢ８８上の接点は、キャップ２４の各ブラシ９４に対応する半径部分において偏心した弧を描くように形成されている。ハウジングキャップ３０の上板６８には接続器入出穴９６も設けられ、この穴９６は、ハウジング２８のドーム部分３２をキャップ部分３０へ取り付ける接続器（図示せず）を受け入れるように設けられている。
取り外しツールの説明
カメラ取り外しツール２２について、先ず図１および８を参照して説明する。
最初に、図１においては図示の簡略化のために、挿入フィンガー３６は二つのみ示されていることに注意されたい。しかしながら、カメラ取り外しツール２２の好適実施例は、（ツール２２の上面図である図８に示されるように）三つの挿入フィンガー３６を含む。即ち、一つの挿入フィンガー３６は、ハウジングキャップ３０に設けられた三つの孔３４の各一つへ挿入且つ係合させるために設けられている。更に、図から明らかなように、各挿入フィンガー３６は、カメラアセンブリ２０の基部２４に設けられた三つのスプリングクリップ５４の対応する一つと相互作用する。
ここで図１を参照すると、取り外しツール２２はポールヘッド９８を含み、このヘッド９８は、延伸した中空管の形式である。このポールヘッド９８は開口端１００および閉止端１０２を有する。内側ポール１０４は、ポールヘッド９８内を摺動自在にポールヘッド９８内に取り付けられている。スプリング装填アセンブリ１０６は、内側ポール１０４をポールヘッド９８の閉止端１０２から離間するように偏倚させる。
内側ポール１０４は外側端１０８を有し、ここにはクレドール（揺架）１１０が装着されている。このクレドール１１０は凹面状であり、カメラアセンブリ２０のドーム部分３２の外形に嵌合するようにされている。クレドール１１０とポールヘッド９８との中間では、内側ポール１０４の外側端１０８が、水平に延出する交叉片１１２（その数は三つである。図８参照）を支持する。各Ｌ字状部材１１４は各交叉片１１２の端部に枢着されている。Ｌ字状部材１１４の各々は、上述した挿入フィンガー３６の一つを構成する水平部分に加えて、比較的に長い垂直部分１１６を含む。図から明らかなように、フィンガー３６の各々は、垂直部分１１６の上端から内方へ延出している。Ｌ字状部材１１４の垂直部分１１６の各々の下端には、各リンク部材１１８の一端が枢着されている。各リンク部材１１８の対向端は、ポールヘッド９８の開口端１００近傍でポールヘッド９８の内部へ枢着されている。
ラッチ機構１２０がリンク部材１１８の下方でポールヘッド９８上に設けられている。図１に模式的に示されているように、ラッチ機構１２０は、ポールヘッド９８に枢着されたラッチ部材１２２を含む。このラッチ部材１２２は係止部分１２４を含む。ポールヘッド９８には、係止部分１２４に対向する位置で入出穴１２６が設けられ、係止部分１２４をポールヘッド９８の内部へ突出させるようにしてある。ラッチ部材１２２の係止部分１２４を選択的に係合させるように、係止穴１２８が内側ポール１０４に設けられている。
偏倚スプリング１３０が、ポールヘッド９８から外側へ延出する装着部材１３２に装着されている。この偏倚スプリング１３０は、ラッチ部材１２２へ接続され、ラッチ部材１２２を入出穴１２６へ挿入する方向へ、更に係止穴１２８が入出穴１２６に整合したときにラッチ部材１２２を入出穴１２６へ挿入させるようにラッチ部材１２２を偏倚させる。長尺なコード１３４がラッチ部材１２２へ取り付けられており、ツール２２の操作者が、偏倚スプリング１３０の付勢力（偏倚力）に抵抗してラッチ部材１２２を枢動させて、係止部分１２４を係止穴１２８から係合解除できるようにされている。
ポールヘッド９８は、図示しない通常の取り付け機構により延長ポール１３６へ着脱自在に取り付けられている。その延長ポール１３６は、少なくとも１０フィートの長さに延在自在な通常の形式の伸縮式延長ポールとし得る。
カメラアセンブリハウジングの取り外し
本発明の第一実施例の操作について説明する。これは先ず基部２４からのカメラアセンブリ２０のハウジング部分２８の取り外しについての手順を含む。
取り外しツール２２の一部を形成する延長ポール１３６の使用により、基部２４からのハウジング２８の取り外す作業をなす者は、カメラアセンブリ２０が床面または地面から相当な距離をおいて取り付けられている場合にも、梯子や足場を据え付けることなく、その取り外し作業をなせる。図１および２を参照すると、カメラアセンブリ２０のハウジング部分２８の取り外しは、挿入フィンガー３６の各々をハウジング２８のキャップ部分３０に設けられた孔３４の各一つに整合させることにより開始される。次いで取り外しツール２２のクレドール１１０をハウジング２８のドーム部分３２の底部に接触させて（延長ポールを使用してなされる）、ポールヘッド９８をドーム部分３２に対して上方へ押し上げることにより、内側ポール１０４をポールヘッド９８の内部でスプリング装填アセンブリ１０６の付勢力に抗して（ポールヘッド９８に関して）押し下げるようにする。ポールヘッド９８に関する内側ポール１０４の下方移動は、リンク部材１１８を矢印１３８で示すように下方外側へ枢動させる。このリンク部材１１８の下方外側へ枢動はＬ字状部材１１４を回動させて、挿入フィンガー３６をハウジングキャップ３０の孔３４へ挿入させるために、挿入フィンガー３６を（矢印１４０で示すように）内方へ移動させる。内側ポール１０４がポールヘッド９８に関して所定量だけ押し下げられたとき、内側ポール１０４の係止穴１２８が入出穴１２６と整合するので、偏倚スプリング１３０により与えられた付勢力によりラッチ部材１２２の係止部材１２４が係止穴１２８へ挿入される結果、この係止部分１２４が係止穴１２８内に係合する。それ故、内側ポール１０４はポールヘッド９８に関して係止され、挿入フィンガー３６もまたハウジングキャップ３０の孔３４に関して挿入位置に係止される。
図１０は、挿入フィンガー３６の挿入に先立つハウジングキャップ３０と基部２４との状態を示す。図１０には示されていないが、基部２４のスロット４６は各々が孔３４の各一つに整合されているので、フィンガー３６は基部２４のフランジ４２の間に挿入されていることを理解されたい。図から明らかなように、キャップ３０は、その上板６８の切り欠き部８４により、基部２４の棚板５２上に支持されている（図６も参照されたい）。同時に、続いて図１０を参照すると、基部２４のスプリングクリップ５４の係止部材５６がキャップ３０の孔３４と係合するので、基部２４に関するキャップ３０の回動が抑制される。
図１２に最もよく示されるように、各挿入フィンガー３６は、その各々の先端にてテーパー状にされ、フィンガー３６の先端に傾斜カム面１４２を形成するようにされている。孔３４への挿入フィンガー３６の上述した挿入に際しては、スプリングクリップ５４の係止部材５６がカム面１４２上で上方に載置されるので、係止部材５６はそれらの各孔３４から持ち上げられて離れる。ハウジング２８を取り外す作業者は、取り外しツール２２をその長さ方向軸の回りで捻りまたは回動させることにより、キャップ３０を基部２４に関して作業者から見て反時計方向へ回動させる。この回動動作は図１１において矢印１４４で示されている。この回動動作は、基部２４の棚板５２が、ハウジングキャップ３０の切り欠き部８２に対応する階段状スロット８０の比較的に広い部分に整合するまで続けられる。このときに、取り外しツールの挿入フィンガー３６により把持されたままのハウジング２８は、基部２４から直下に取り外し得る。棚板５２は、ハウジング２８が下方へ取り外されるにつれて階段状スロット８０から現れてくる。
次いでハウジング２８を取り外す作業者は、ハウジング２８を係合させたままで、延長ポール１３８を作業者の手で握れるまで、作業者の左右の手を交互に移動させて延長ポール１３６を掴み出すことにより（または延長ポールを伸縮させることにより）ツール２２を操作する。次いでポールヘッド９８は延長ポール１３６から取り外し得るので、ポールヘッド９８から内側ポール１０４を係止解除するように、作業者はラッチ部材１２２を（例えばコード１３４を引いて）枢動させ得る。内側ポール１０４の係止解除に応じて、スプリング装填アセンブリ１０６は内側ポール１０４を外側へ押すことにより、挿入フィンガー３６の外方移動が生じ、ハウジング２８が取り外しツール２２から解放される。アセンブリ２８の取り外しはこれで完了する。
カメラアセンブリハウジングの再取り付け
天井に据え付けられているが、ハウジング２８は装着されていない基部２４へハウジング２８を据え付けるツール２２の使用法について説明する。
初めに、ツール２２のフィンガー３６が孔３４へ挿入され、且つ内側ポール１０４の係止穴１２８がラッチ機構１２０の係止部分１２４へ係合するまで、揺架１１０へハウジング２８を押し下げることにより、ハウジング２８にツール２２を装着する。次いでポールヘッド９８を延長ポール１３６へ取り付け得る。次いで延長ポール１３６を用いて、階段状スロット８０の各々、特にその比較的に広い部分が基部２４の棚板５２に整合するようにツール２２を位置させる。次いでハウジング２８を直上へ移動させて、棚板５２をスロット８０へ挿入させるようにする。
基部２４に関するキャップ３０の位置決めは、基部２４のフランジ４２により支援される。このフランジ４２は、キャップ３０の側壁７０の上部セットバック部分７４の外径に対応する基部２４の内径を規定する（図３および図６参照）。基部２４のフランジ４２がキャップ３０の側壁７０の脚７８に接触するまでキャップ３０が充分に持ち上げられたとき、ツール２２を、その長さ方向軸に沿って回動させることにより、ハウジング２８を（ハウジング取り付け作業者から見て）反時計方向へ回動させて、ハウジングキャップ３０の切り欠き部８４を棚板５２の直上に位置させて支持させるようにする（図１１に示す如し）。ハウジング２８の取り付けを完了するために、ツール２２のコード１３４を引くことにより、ポールヘッド９８から内側ポール１０４を係止解除する。スプリング装填アセンブリ１０６の付勢力は、内側ポール１０４をポールヘッド９８に関して外側へ押すので、フィンガ３６が孔３４から取り外される。これは、スプリングクリップ５４によるそれ自身の偏倚動作により、スプリングクリップ５４の係止部材５６を下方へ移動させることを可能とするので、図１０に示すように、係止部材５６が孔３４に係合する。
本発明の第一実施例は、カメラハウジングの不正な取り外しの防止を付加するように変更することが意図されている。詳しくは、（図９に示すように）各挿入フィンガーの先端においてキースロット１４６を形成し得るし、ハウジングキャップ３０の各孔３４の対応する位置にキーピン（図示せず）を設け得るので、整合キーを有するツール２２のみを基部からのハウジングの取り外しに使用可能とすることができる。
本発明の第一実施例は、カメラハウジング２８を取り付けるために上述した捻りおよび係止技術を作用し、天井、或いは床面または地面から上方に離間した他の取り付け場所へカメラアセンブリを取り付けおよび取り外す便利で信頼性のあるシステムを与える。取り外しツール２２の設備は、延長ポール１３６を含み、これは梯子または足場の使用を伴わずにドームの取り外しおよび再取り付けを実行することを可能とするので、比較的に未熟な作業者が作業手順を容易且つ安全に果たすことができる。更に、本実施例は、基部２４とハウジングキャップ３０がモールド成型できることと、本実施例において可能となったドームアセンブリの安全な取り扱い手順は、従来技術のドーム装着システムに使用されていた安全索配置を設けることを不要とすることの双方において製造経費を低廉にする。
第二実施例
本発明の第二実施例について図１３乃至１７を参照して説明する。この第二実施例に係り設けられたカメラアセンブリは図１３において全体的に参照符号２００で示されており、また参照符号２０２は第二実施例に係り設けられたカメラ取り外しツールを示す。
カメラアセンブリの説明
図１３に加えて図１４を参照すると、カメラアセンブリ２００は、天井または他の装着場所へ堅固に装着される基部２０４と、この基部２０４へ取り外し自在に装着されるようにされた装着板２０６と、この装着板２０６から懸架されたドーム部分２０８とを含む。ドーム部分２０８および／または装着板２０６に装着されたドーム部分２０８内には、通常のカメラドーム部品、例えば何れも図示しないカメラ自身、カメラモータ、およびカメラ電子機器が収納されている。
基部２０４は側壁２１０を含み、この側壁からは装着棚板２１２が水平に内方へ延出している。ラッチピン２１４は装着棚板２１２から垂直上方に延出してる。複数の係止アセンブリは図１４に示された例示的な係止アセンブリ２１６を含み、これは装着板２０６を基部２０４へ選択的に係止するように装着板２０６の上側に取り付けられている。キー穴２１８は各係止アセンブリのために装着板２０６に設けられている。図１４に加えて図１５を参照すると、各係止アセンブリ２１６は、係止バレル２２０と、ファスナ２２４により係止バレル２２０上に摺動自在に取り付けられたラッチ摺動体２２２とを含む。各係止アセンブリ２１６はタンブラアセンブリ２２６（図１４参照。図１５には図示せず）をも含む。係止バレル２２０とタンブラアセンブリ２２６は、装着板２０６と、この装着板２０６へファスナ２３０により固定された装着リング２２８との間に保持されている（図１５）。
図１４および図１５から明らかなように、ラッチ摺動体２２２は全体的にＪ字形状であり、比較的に長い水平上部部分２３２を含み、この水平上部部分には、その長さ方向へ延出する延伸スロット２３４が形成されている。図１５に示された係止アセンブリの分解された見取り図に明らかなように、ファスナ２２４は、係止バレル２２０の上面に設けられた取り付け穴２３６へ挿入するためにスロット２３４を通じて挿入される。切り欠き２３８はラッチ摺動体の上部部分２３２の一端に設けられており、ラッチフィンガー２４０を形成する。
ラッチ摺動体２２２は垂直部材２４２をも含み、この垂直部材は、ラッチフィンガー２４０から反対側の上部部分２３２の端部において、上部部分２３２から下方へ延出する。案内部材２４４が垂直部材２４２の下端に設けられ、ラッチフィンガー２４０の方向に水平に延出している。この案内部材２４４の長さは、ラッチ摺動体２２２の上部部分２３２よりも実質的に短いことに注意されたい。案内開口２４６が係止バレル２２０に設けられ、案内部材２４４の案内開口２４６への挿入が可能である。この案内開口２４６は、案内部材２４４の断面に実質的に対応する輪郭を有する。案内部材２４４と案内開口２４６とは、スロット２３４とファスナ２２４とがなすように協動し、ラッチ摺動体２２２を係止バレル２２０に関する摺動移動のために案内する。この摺動移動の方向はスロット２３４の長さ寸法により規定される。カム壁２４８（図１６参照。図１４には図示せず）は装着板２０６または基部２０４の何れかに設けられている。このカム壁２４８はカム面２５０を含み、図から明らかなように、このカム面２５０には、ラッチ摺動体２２２が係止バレル２２０の回動の間の摺動移動のためにカム動作する。
取り外しツールの説明
図１３を再度参照すると、カメラ取り外しツール２２２はポールヘッド２５２を含む。駆動ギア２５４はポールヘッド２５２の一端に堅固に取り付けられて、駆動ギア２５４の面がポールヘッド２５２の長さ方向軸に垂直をなすように、且つポールヘッド２５２の一端がギア２５４の中心に位置するように配置される。水平支持部材２５６は、駆動ギア２５４に隣接してポールヘッド２５２に取り付けられている。支持部材２５６は、ポールヘッド２５２と駆動ギア２５４とが支持部材２５６に関してポールヘッド２５２の長さ方向軸に回りで自由に回動するように取り付けられている。複数の被動ギア２５８が支持部材２５６の各端部に取り付けられている。被動ギア２５８は、支持部材２５６上の回動のために取り付けられ、駆動ギア２５４と連動することにより、駆動ギア２５４の回動に応答して回動するように駆動される。被動ギア２５８の各々は、その上に取り付けられたキー部２６０を有し、このキー部２６０は各ギア２５８の回動中心から上方へ延出する。取り外しツール２２２の全体構造は、キー部２６０の間隔がキー穴２１８の装着板２０６上の間隔に相当するようにされている。支持部材２５６および駆動ギア２５４を支持するポールヘッド２５２の端部の対向端には、アタッチメント機構（図示せず）が設けられ、この機構によりポールヘッド２５２は、本発明の第一実施例に関連して参照した形式の延長ポール上に着脱自在に取り付け得る。
ドーム取り外し手順
取り外しツール２２２を用いて基部２０４からカメラドームを取り外す手順について、図１３，１４および図１６を参照して説明する。
先ず、ドームを取り外す作業者は、キー部２６０がキー穴２１８の向きに対応する正しい向きになるまで、ポールヘッド２５２を支持部材に関して回動させる。図１３に示される実施例においては、キー部２６０の正しい向きは、内側へ指向しており、即ち、ポールヘッド２５２へ向いている。
次に、ポールヘッドを延長ポール（図示せず）に取り付けて、キー部２６０を図１３に示すようにキー穴２１８へ向ける。次いでキー部２６０をキー穴２１８内へ挿入して、各キー部２６０を係止バレル２２０（図１４）の対応する一つに係合させるようにする。次いでポールヘッド２５２を（延長ポールの適宜な操作により）回動させることにより、キー部２６０を駆動ギア２５４および被動ギア２５６を通じて回動駆動させて、係止バレル２２０を回動させる。各キー部２６０は管状アセンブリ２２６（図１４）と相互作用するように形成されているので、係止バレル２２０をキー部２６０により回動駆動させることが可能である。係止バレル２２０の回動は、ラッチ摺動体２２２を、係止位置（図１６に参照符号２２２’の仮想線で示す）即ちラッチフィンガー２４０がラッチピン２１４に係合している位置から、非係止位置（図１６に実線のラッチ摺動体２２２で示す）即ちラッチ摺動体２２２が基部２０４のラッチピン２１４と装着棚板２１２との双方から離れている位置へ移動させる。このラッチ摺動体２２２の係止位置から非係止位置への移動は、係止バレル２２０と一体的なラッチ摺動体２２２の回動と、このラッチ摺動体２２２の回動に応答してラッチ摺動体２２２のカム面２５０との相互作用によりなされるカム動作との双方により達成される。
ラッチ摺動体２２２が図１６に示されるラッチ摺動体２２２の非係止位置にあるとき、キー部２６０は、係止バレル２２０から引き抜けない方式で係止バレル２２０に契合する。同時に、ラッチ摺動体２２２が基部２０４の係止部から自由になるので、ドームは、取り外しツール２０２上で引き下ろすことにより、単純に基部２０４から外すことができる。
第一実施例におけるように、延長ポールは、ドームを取り外す作業者が手でポールヘッド９８を手で把持できるように、次いでドーム部分２０８と延長ポールをポールヘッド９８から取り外せるように取り扱える。次いでポールヘッド２５２を回動させて、キー部２６０を係止バレル２２０から取り外す適切な向きへ回動させ、キー部２６０をキー穴２１８から引き抜く。これでドームの取り外しが完了する。
ドーム再取り付け手順
次にドームを基部２０４へ装着する手順について説明する。
先ず、取り外しツール２０２を（支持部材２５６に関してポールヘッド２５２を回動させることにより）操作して、キー部２６０をキー穴２１８へ挿入する適切な向きにする。次いでキー部２６０をキー穴２１８へ挿入して回動させることにより、係止バレル２２０を回動させ、ラッチ摺動体２２２を非係止位置に移動させる。その非係止位置は、係止バレル２２０がキー部２６０へ堅固に係合する係止バレル２２０の位置に相当する。ここでドームはキー部２６０を通じてツール２０２へ取り付けられ、このツール２０２は、ドームを基部２０４と接触するように持ち上げるために使用される延長ポールへ取り付けることができる。図１７および図１４に示されるように、基部２０４の側壁２１０に形成された凹所２６２は、装着板２０６上の装着リング２２８と協動して、ドームを基部２０４との適切な回動関係へ案内する。リング２２８は装着板２０６上に配置されており、この装着リング２２８の昇降に際してドームアセンブリの有効幅を与えることに注意されたい。この有効幅は、装着板２０６がリング２２８を凹所２６２へ整合させるように位置しない限りは、基部２０４の内径よりも大きい。
ドームを適切に位置させた場合、ポールヘッド２５２を（延長ポールの適切な操作により）回動させてキー部２６０を回動させることにより、係止アセンブリ２１６を係止状態に位置させるようにする。それ故、係止バレル２２０はキー部２６０により回動されるので、ラッチ摺動体２２２は、その非係止位置（図１６に実線で示される）からラッチ摺動体の係止位置（図１６に仮想線２２２′で示される）へ移動する（凹所２６２によるリング２２８の係合が、ポールヘッド２５２の回動中に基部に関するドームの回動を防止する）。係止バレル２２０の回動により与えられたラッチ摺動体２２２の回動は、基部２０４の側壁２１０へのラッチ摺動体２２２の接触により与えられたカム動作により、係止バレル２２０に関して左方向へのラッチ摺動体２２２の摺動を伴う。ラッチ摺動体２２２が、ラッチフィンガー２４０がラッチピン２１２へ係合する係止位置へくると、キー部２６０は、係止バレル２２０およびキー穴２１８から引き抜ける回動位置に達する。この位置では、カメラドームは、ラッチ摺動体２２２により基部の棚板２１２上に支持されており、基部２０４へのドームの取り付けが完了する。
第一実施例と同様に、この第二実施例は、ドームの安全で効率的で確実な取り外しおよび再取り付けを可能にすると共に、従来技術で設けられていた安全索の必要性を排除する。この第二実施例の格別な利点は、ドームの取り外し中に、ドームを基部へ固定する係止機構が、ドームが取り外しツールに確実に係合するまで解除されないことである。従って、ドームは常に基部または取り外しツールの何れかにより確実に保持される。ドームの再取り付け中も基部または取り外しツールの何れかがドームを常に確実に保持する。
この第二実施例は、装着板上の二つの係止アセンブリ２１６と、取り外しツールの二つのキー部２６０を含んで示された。しかしながら、装着板上の更に多数か小数の係止アセンブリ２１６と、その数に対応する取り外しツールのキー部２６０を含めることも意図されている。
同様に、本発明の第一実施例は、そこに示された三つの係止配置よりも更に多数か小数の係止配置を設けるように変更し得る。
上述したドーム取り外しおよび取り付けシステムに対する様々な変形例、上述した実践における変更例を本発明から逸脱することなく導入し得る。従って特定の好適な方法および装置は、一つの例示を意図しているのであって、発明の要旨を限定するものではない。本発明の真の要旨と目的とは、添付の請求の範囲に記載されている。
【図１】
0003872514.tif 000002
【図２】
0003872514.tif 000003
【図３】
0003872514.tif 000004
【図４】
0003872514.tif 000005
【図５】
0003872514.tif 000006
【図９】
0003872514.tif 000007
【図６】
0003872514.tif 000008
【図７】
0003872514.tif 000009
【図８】
0003872514.tif 000010
【図１０】
0003872514.tif 000011
【図１１】
0003872514.tif 000012
【図１２】
0003872514.tif 000013
【図１３】
0003872514.tif 000014
【図１４】
0003872514.tif 000015
【図１６】
0003872514.tif 000016
【図１７】
0003872514.tif 000017
【図１５】
0003872514.tif 000018